(57)【特許請求の範囲】
【請求項１】
ケース本体のベース内方に画成した機械室に冷凍機の風冷式コンデンシングユニットを収容し、その開口端面を覆って冷却空気の通風穴を形成した板金製のキックプレートを着脱可能に取付けた冷凍機内蔵形ショーケースにおいて、キックプレートの下縁から前方に向け“く”字形に屈曲して下方に突き出す掛け金を左右に分散して設けるとともに、ベース側にはキックプレートを載置して下支えする支持座金を設け、かつ該支持座金に開口した係合穴に前記掛け金を差し込んでキックプレートを支持したしたことを特徴とする冷凍機内蔵形ショーケース。
【請求項２】
請求項１記載のショーケースにおいて、掛け金をキックプレートに溶接接合したことを特徴とする冷凍機内蔵形ショーケース。
【請求項３】
請求項１記載のショーケースにおいて、掛け金をキックプレートと一体に板金成形したことを特徴とする冷凍機内蔵形ショーケース。
【発明の詳細な説明】
【０００１】
【発明の属する技術分野】
本発明は冷凍機内蔵形ショーケースに関し、詳しくは冷凍機のコンデンシングユニットを収設したベースの開口端面に装着したキックプレートの取付け構造に係わる。
【０００２】
【従来の技術】
まず、冷気循環式オープンショーケースを例に、冷凍機内蔵形ショーケースの全体構成を図４(a),(b) に示す。図において、１は断熱筐体としてなる前面開放形のケース本体、２は庫内の商品陳列室３を取り巻いてケース本体１の外箱と内箱との間に画成した冷気循環通風路、４は冷却器（冷凍機のエバポレータ）、５は庫内ファン、６は商品陳列棚、７はケース本体１の下部側に構築したベース、８はベース内方の機械室に収容した風冷式の冷凍機コンデンシングユニット、９はベース７の前面に配したキックプレートであり、該キックプレート９は薄鋼板の周囲四辺を背後へＬ字状に折り曲げた板金加工品としてなり、その板面にはコンデンシングユニット８に通風する冷却空気を取り込む格子状の通風穴９ａが開口している。なお、ショーケースの種類によっては、キックプレート９をベース７の側面に設置する場合もある。
【０００３】
次に、前記したキックプレート９の従来における取付け構造を図５(a),(b) で説明する。図において、ケース本体のベース７はフレーム７ａに底板，側壁を組合せて構築され、このベース７に対してキックプレート９が次記のように着脱可能に取付けられている。すなわち、ベース７の開口端面に位置する下部フレーム７ａには先端に係合爪１０ａを起立形成したＵ字形の支持座金１０が左右に振り分けて溶接接合されており、この支持座金１０に位置を合わせてキックプレート９の下面に形成したスリット状の係合穴９ｂを前記係合爪１０ａに嵌め込んで担持し、キックプレート９の上部板面をベース７のフレーム７ａに取付けたマグネットキャッチ１１に押し当てて吸着保持するようにしている。
【０００４】
かかる構成で、キックプレート９を装着位置から取り外すには、図５(a) で示すように支持座金１０に係合したキックプレート９の下端を支点に上部を矢印Ｉ方向に倒してマグネットキャッチ１１から引き外した後、矢印IIのように斜め上方に引き上げて支持座金１０から抜き出す。また、キックプレート９を装着するには前記と逆な手順で取付ける。
【０００５】
【発明が解決しようとする課題】
ところで、前記したキックプレート９の従来の取付け構造では次記のような問題がある。すなわち、
(1) キックプレート９を本体ケースのベース７に装着する場合に、キックプレート９に下縁に開口した係合穴９ｂがプレートの裏に隠れて前方からはよく見えず、かつキックプレート自身は長尺な重量物であることから、係合穴９ｂを支持座金１０の係合爪１０ａに嵌め合わせることが困難であるといった操作性の難点がある。
【０００６】
(2) キックプレート９を取り外す際に、図５(ａ) の矢印Ｉ方向にキックプレート９を倒すと、支持座金１０の係合爪１０ａに引っ掛かっているキックプレート９の係合穴９ｂの縁に大きなこじり荷重が加わる。この場合に、支持座金１０は板厚も厚くて強度も大であるに対して、キックプレート９は薄鋼板で作られていて強度が弱いことから、キックプレート９の係合穴９ａの周辺部分が簡単に変形し、これが基でキックプレートの全体に反りが生じるといった不具合が生じる。特にキックプレート９を支持座金１０から外さずに前方に倒して床面上へ置こうとすると、キックプレート１０が係合穴部周辺が大きく変形してしまう。
【０００７】
本発明は上記の点に鑑みなされたものであり、その目的は前記課題を解決し、キックプレートの挿脱操作が楽に行え、かつ強度的にも高い信頼性が確保できるようにキックプレートの取付け構造を改良した冷凍機内蔵形ショーケースを提供することにある。
【０００８】
【課題を解決するための手段】
上記目的を達成するために、本発明によれば、ケース本体のベース内方に画成した機械室に冷凍機の風冷式コンデンシングユニットを収容し、その開口端面を覆って冷却空気の通風口を形成した板金製のキックプレートを着脱可能に取付けた冷気内蔵形ショーケースにおいて、
キックプレートの下縁から前方に向け“く”字形に屈曲して下方に突き出す掛け金を左右に分散して設けるとともに、ベース側にはキックプレートを下支えする支持座金を設け、かつ該支持座金に開口した係合穴に前記の掛け金を差し込んでキックプレートを支持する（請求項１）ものとし、具体的には前記掛け金を次記のような形態で構成する。
【０００９】
(1) 掛け金をキックプレートに溶接接合する（請求項２）。
(2) 掛け金をキックプレートと一体に板金成形する（請求項３）。
【００１０】
前記構成によれば、キックプレートの掛け金がプレートの前方から見えるように下方に突き出しているので、キックプレートをベースに装着する際には、掛け金の位置を目視確認しながら相手側の支持座金に開口している係合穴に位置を合わて簡単に差し込むことができる。しかも、キックプレートを着脱操作する際に、掛け金を支持座金の係合穴に掛け合わせた状態でキックプレートを前方に傾けても、掛け金自身が“く”字形に屈曲しているので支持座金の係合穴との間に不当なこじり荷重の加わることがなく、キックプレートに変形，反りが生じるのを回避できる。これにより、掛け金を支持座金の係合穴に引っ掛けたままキックプレートを外さずにベースの前方に倒してそのまま床面上に置くこともできる。
【００１１】
また、掛け金を別部品としてキックプレートに溶接接合することにより、高い強度が確保できる効果が得られ、さらに掛け金をキックプレートと一体に板金成形することで部品点数が少なく済む。
【００１２】
【発明の実施の形態】
以下、本発明の実施の形態を図示実施例に基づいて説明する。なお、実施例の図中で図４に対応する同一部材には同じ符号が付してある。
【００１３】
まず、図１(a）〜(c) に基本的な実施例の構造を示す。すなわち、ベース８の前面下部には断面Ｚ字形のチャンネル鋼材からなる支持座金１２がフレーム７ａに溶接接合されており、その左右両端に後記する掛け金の爪を差し込む係合穴（角穴）１２ａが開口している。一方、キックプレート９には、その下縁両端部から下方に突き出して前記の角穴１２ａと嵌合し合う舌片状の掛け金１３が設けてあり、この掛け金１３は図示のように先端が前方に向けて“く”字形に屈曲している。また、ベース７の前面上部には、従来構造と同様にキックプレート９を吸着保持するマグネットキャッチ１１がフレーム７ａに取付けてある。
【００１４】
かかる構成で、図１(a) の実腺で表したキックプレート９の装着状態では、図１(b) のようにキックプレート９の下端から突き出た掛け金１３が支持座金１２の角穴１２ａに差し込まれて支持座金１２の上に載り、かつキックプレート９の上部がマグネットキャッチ１１に吸着して図示のような直立姿勢に保持される。この状態からキックプレート９を取り外すには、図１(a) でキックプレート９を前方に引いて（矢印Ｉ）マグネットキャッチ１１から引き外した後、上方に引き上げ（矢印II）て掛け金１３を支持座金１２から引き抜いてキックプレート９を取り外す。
【００１５】
一方、キックプレート９を装着する場合には、掛け金１３の位置を目視確認しながらキックプレート９を前方から支持座金１２の上に載せて掛け金１３を係合穴１２ａに差し込み係合し、次いでキックプレート９をベース７に押し付けてマグネットキャッチ１１に吸着保持させる。
【００１６】
また、掛け金１３を支持座金１２の係合穴１２ａから抜かずに引っ掛けたまま、キックプレート９を矢印III のように前方に倒すことで、キックプレート９をベース７から取り外さずに、ベース７の前方の床面上に寝かせた姿勢に置いてベース内の点検を行うことができる。なお、キックプレート９をこのような姿勢に倒しても、掛け金の先端が前方に向けて“く”字形に屈曲しているので、支持座金１２の間に大きなこじりが加わることがない。
【００１７】
次に、本発明の請求項２，３にそれぞれ対応する具体的な実施例を図２，図３に示す。
〔実施例１〕
図２は請求項に対応する実施例を示すものであり、この実施例では、前記した掛け金１３がキックプレート９とは別部品として作られ、掛け金１３がキックプレート９の内面に溶接接合されている。すなわち、掛け金１３はキックプレート９よりも板厚の厚いに縦長な鋼板を図示のような形状に板金加工し、その先端を“く”字形に屈曲形成した係合爪部１３ａをキックプレート９の下端面から下方に突き出すようにし位置決めしてキックプレート９の内面にスポット溶接して接合されている。
【００１８】
かかる構成では、強度の高い掛け金１３を薄鋼板で作られたキックプレート９に溶接接合したので、キックプレート９の着脱操作に伴う荷重にも十分耐える強度が確保できる。
【００１９】
〔実施例２〕
図３は請求項３に対応する実施例を示すものであり、この実施例においては、掛け金１３がキックプレート９と一体に板金成形されている。
この実施例では、強度面で図２の実施例と比べて多少劣るものの、部品点数が少なくて済み、安価に製作できる。
【００２０】
【発明の効果】
以上述べたように、本発明の構成によれば、キックプレートの下縁から前方に向け“く”字形に屈曲して下方に突き出す掛け金を左右に分散して設けるとともに、ベース側にはキックプレートを下支えする支持座金を設け、かつ該支持座金に開口した係合穴に前記の掛け金を差し込んでキックプレートを支持するようにしたことにより、従来におけるキックプレートの取付け構造と比べて、キックプレートの着脱操作性に優れ、かつ着脱に際してキックプレートを前方に傾けてもプレート本体が不当に反ったり，変形することがなく、さらに掛け金を支持座金に引っ掛けたまま、キックプレートを前方の床面上に倒してベース内に収容した冷凍機コンデンシングユニットの点検を行うことができる。
【図面の簡単な説明】
【図１】本発明によるキックプレート取付け構造の基本な実施例の構成図であり、(a) は側面図、(b) は斜視図、(c) は(a) 図の要部拡大図
【図２】実施例１に対応するキックプレートを裏面側から見た要部の構成斜視図
【図３】実施例２に対応するキックプレートを裏面側から見た要部の構成斜視図
【図４】本発明の実施対象となる冷凍機内蔵形ショーケースの全体構成図であり、(a) は側断面図、(b) は正面図
【図５】図４におけるキックプレートの従来における取付け構造図であり、(a) はキックプレートをベースに装着した状態の側面図、(b) はその要部の斜視図
【符号の説明】
１    ケース本体
７    ベース
７ａ  フレーム
８    冷凍機のコンデンシングユニット
９    キックプレート
９ａ  通風穴
１１    マグネットキャッチ
１２    支持座金
１２ａ  係合穴
１３    掛け金
【図１】
0003928280.tif 000002
【図２】
0003928280.tif 000003
【図３】
0003928280.tif 000004
【図４】
0003928280.tif 000005
【図５】
0003928280.tif 000006